(57)【要約】      （修正有）【課題】電気機器梱包構造において、１枚の厚紙片でなるパッドを追加し、そのパッドを、仕様の異なる電源コードの収容に共通に使用することができるようにする。【解決手段】梱包箱１０と、緩衝体６１〜６４と、梱包箱１０内の空間Ｓ１〜Ｓ４とを備える。空間Ｓ４内に、電源コード７２の折畳み束７４と、横長矩形の厚紙片の長手方向複数箇所を折曲げることによって形成されたパッド２０とを収容する。パッド２０が、電気機器５０と電源コード７２との間に配備される仕切り片部２２と、電源コード７２の折畳み束７４の納まり位置を区画形成するコ字形の折畳み束収容部２３と、２つの緩衝体６１，６４に接触する一対の当接部２１，２１とを有する。厚紙片は、その折曲げ箇所を変更することにより、仕切り片部２２、折畳み束収容部２３及び当接部２１の形状及びサイズを変更可能な機能を備える。【選択図】図２
2012081968.tif 000002
【特許請求の範囲】
【請求項１】
四角筒形の胴体部にその上下の開口を塞ぐ底蓋及び天蓋が連設されて電気機器及びその付属品としての電源コードを収容可能な厚紙でなる梱包箱と、この梱包箱に収容された上記電気機器の４つのコーナ部に嵌合され、かつ、上記胴体部により挟まれて電気機器を梱包箱の内部で位置決めする緩衝体と、上記梱包箱に収容された上記電気機器と相対向するする２つの上記緩衝体と上記電気機器に対向している上記胴体部の壁板とによって囲まれた空間と、を備え、
上記空間内に、上記電源コードの折畳み束と、横長矩形の厚紙片の長手方向複数箇所を折曲げることによって形成された厚紙片でなるパッドとが収容され、
そのパッドが、上記電気機器と上記電源コードとの間に配備されて電源コードが電気機器に接触することを防ぐ仕切り片部と、上記空間内での上記折畳み束の納まり位置を上記壁板と共働して区画形成する平面視略コ字形の折畳み束収容部と、２つの上記緩衝体に各別に接触する一対の当接部とを有し、
上記厚紙片が、電源コードの仕様に応じてその折曲げ箇所を変更することにより、上記仕切り片部、上記折畳み束収容部及び一対の上記当接部の形状及びサイズを変更可能な機能を備えていることを特徴とする電気機器梱包構造。
【請求項２】
上記パッドが２つの上記緩衝体により挟まれてそれらの緩衝体の対向方向で位置決めされている電気機器梱包構造。
【請求項３】
横長矩形の上記厚紙片の長手方向複数箇所に付与されている折曲げ線の形成箇所で当該厚紙片が折り曲げられていることによって、上記仕切り片部と上記折畳み束収容部と一対の上記当接部とを有する上記パッドが形成されている請求項１に記載した電気機器梱包構造。
【請求項４】
上記パッドに具備された平面視略コ字形の折畳み束収容部が、２つの上記緩衝体に各別に接触する一対の突片部とそれらの突片部の根元部分の相互間に亘る幅広背板部とを有して、一対の上記突片部が一対の上記当接部を形成し、かつ、上記幅広背板部が上記仕切り片部を形成している請求項３に記載した電気機器梱包構造。
【請求項５】
上記パッドに具備された平面視略コ字形の折畳み束収容部が、２つの上記緩衝体のうちの一方側の緩衝体に接触する１つの片側突片部と、その片側突片部に対向している他の１つの他側突片部と、それら２つの突片部の根元部分の相互間に亘る幅狭背板部とを有し、その折畳み束収容部に備わっている上記他側突片部の突出端に、上記厚紙片を折り曲げることによって形成された平板部が連設されていると共に、上記片側突片部と上記平板部の先端部とが一対の上記当接部を形成し、かつ、上記幅狭背板部が上記仕切り片部を形成している請求項３に記載した電気機器梱包構造。
【発明の詳細な説明】
【技術分野】
【０００１】
本発明は、電気機器梱包構造、特に、電気機器の付属品としての電源コードの折畳み束の大きさが電源コードの種類に応じて異なる場合であっても、その電源コードを動きにくい状態で無理なく収容するための対策が講じられた電気機器梱包構造に関する。
【背景技術】
【０００２】
図１０に従来の電気機器梱包構造を分解斜視図で示してある。図例の梱包構造は、梱包箱１０とその梱包箱１０に収容される電気機器５０、緩衝用部材６０及び電気機器５０の付属品７０などを有し、電気機器５０は保護袋５１に収容され、付属品７０は袋７１にまとめて収容されている。
【０００３】
同図に示されている梱包箱１０は、切り目や折り目を形成した１枚の厚紙に曲げ加工を施すことによって製作されていて、横長四角筒形の胴体部１２に、その下側の開口を塞いでいる底蓋１３と、胴体部１２の上側の開口を塞ぐための天蓋１４とが連設されている。天蓋１４は、胴体部１２の４つの上辺のそれぞれに連設されている４枚のフラップ１４ａ，１４ｂ，１４ｃ，１４ｄを折り畳むことによって形成される。電気機器５０は、たとえばＤＶＤプレーヤであり、そのような電気機器５０は偏平な矩形箱形の形状を有している。緩衝用部材６０は樹脂発泡体などによって形成されていて、電気機器５０の４つのコーナ部に各別に嵌合可能な４つのブロック形の緩衝体６１，６２，６３，６４に分かれている。付属品７０には電源コード７２や取扱説明書７３などが含まれている。
【０００４】
梱包箱１０で電気機器５０などを梱包するときには、袋７１に入っている付属品７０が梱包箱１０の底蓋１３の中央部に置かれ、その上から、４つのコーナ部に緩衝体６１〜６４が嵌め込まれた電気機器５０が配備される。また、４つの緩衝体６１〜６４は箱本体１０の胴体部１２の４つのコーナ部に嵌め込まれる。このように梱包状態では、４つの緩衝体６１〜６４が梱包箱１０の胴体部１２により動かないように挟まれて電気機器５０が梱包箱１０の内部で位置決めされている。また、４つのフラップ１４ａ，１４ｂ，１４ｃ，１４ｄが折り畳まれて天蓋が形成され、その天蓋によって胴体部１２の上側の開口が塞がれる。
【０００５】
ところで、近時のＤＶＤプレーヤなどの電気機器では、その電源仕様の変更や仕向地の製品仕様などにより、同一の種類の電気機器であっても、太さや長さ、電源用あるいは機器接続用のコネクタ、などが異なる種類の電源コード７２を当該電気機器５０に同梱することが要求されることがある。
【０００６】
図９（Ａ）〜（Ｃ）は太さやコネクタなどが異なる３種類の電源コード７２を例示した概略斜視図である。同図（Ａ）は長くて太い電源コード７２を示し、同図（Ｂ）はさらに長くて太い電源コード７２を示し、同図（Ｃ）は細くて短い電源コード７２を示している。なお、符号７４は電源コード７２の折畳み束を示している。
【０００７】
一方、先行例として、図１０を参照して説明した従来例と同様の梱包構造が知られている（たとえば、特許文献１参照）。また、他の先行例としての精密機器の包装構造に関し、包装箱の内部を、精密機器を収容させるための下室と電源コードなどの付属品を収容させるための上室とに上下２段に分けるようにした構成が提案されている（たとえば、特許文献２参照）。さらに他の先行例では、梱包箱に収容させた電話機などの電気製品の上に、段ボール製の緩衝材を配置し、その上にケーブルを配置することにより、ケーブルが電気製品と干渉しないようにすることが提案されている（たとえば、特許文献３参照）。さらに他の先行例では、梱包箱とその梱包箱に収容させた電気機器との間に形成される空間を、電源コードを収容することに利用すると共に、その空間に嵌め込んだ電源プラグ保持部材に、電源ケードのプラグを保持させるという梱包構造も提案されている（たとえば、特許文献４参照）。
【先行技術文献】
【特許文献】
【０００８】
【特許文献１】特開２００９−９６５３０公報
【特許文献２】特開２００６−１９３１９５号公報
【特許文献３】特開２００４−５９０４７号公報
【特許文献４】特開２００６−１５１４７１号公報
【発明の開示】
【発明が解決しようとする課題】
【０００９】
しかしながら、図１０を参照して説明した従来の梱包構造や特許文献１に示されている梱包構造のように、電源コード７２を取扱説明書７３などと共に収容した袋７１を、梱包箱１０の底蓋１３と保護袋５１に収容した電気機器５１との間に挟み込む手段を採用すると、図９（Ａ）（Ｂ）のように太くて長い電源コード７２ではその折畳み束７４が嵩高くなるので、梱包箱１０の胴体部１２の高さを高くしなければ電源コード７２や電気機器５０を梱包箱１０に無理なく収容させることができない。したがって、この梱包構造では、電源コード７２の長さや太さの仕様変更が余儀なくされた場合には、梱包箱１０の寸法を変更することなくその要求に対処することができない。特許文献１〜３のように電気機器と電源コードを上下２段に積み上げるような梱包構造においても同様である。さらに、特許文献４のように梱包箱とその梱包箱に収容させた電気機器との間に形成される空間を電源コードの収容に利用し、かつ、その空間に嵌め込んだ電源プラグ保持部材に電源ケードのプラグを保持させるという梱包構造にあっては、電源コード７２の長さや太さ、プラグの仕様などに応じて電源プラグ保持部材のサイズなどを変更する必要があるので、電源コード７２の仕様に応じて個別に電源プラグ保持部材を製作しなけれはならない、という不便や煩わしさがある。
【００１０】
本発明は以上の状況の下でなされたものであり、梱包箱とその梱包箱に収容させた電気機器との間に形成される空間を電源コードの収容に利用することを基本とした上で、１枚の厚紙片を折り曲げることによって所定の形状に形作られるパッドを、仕様の異なる電源コードの収容に共通に使用することができるような対策を講じた電気機器梱包構造を提供することを目的とする。
【課題を解決するための手段】
【００１１】
本発明に係る電気機器梱包構造は、四角筒形の胴体部にその上下の開口を塞ぐ底蓋及び天蓋が連設されて電気機器及びその付属品としての電源コードを収容可能な厚紙でなる梱包箱と、この梱包箱に収容された上記電気機器の４つのコーナ部に嵌合され、かつ、上記胴体部により挟まれて電気機器を梱包箱の内部で位置決めする緩衝体と、上記梱包箱に収容された上記電気機器と相対向する２つの上記緩衝体と上記電気機器に対向している上記胴体部の壁板とによって囲まれた空間と、を備えている。
【００１２】
また、上記空間内に、上記電源コードの折畳み束と、横長矩形の厚紙片の長手方向複数箇所を折曲げることによって形成された厚紙片でなるパッドとが収容されている。そして、そのパッドが、上記電気機器と上記電源コードとの間に配備されて電源コードが電気機器に接触することを防ぐ仕切り片部と、上記空間内での上記折畳み束の納まり位置を上記壁板と共働して区画形成する平面視略コ字形の折畳み束収容部と、２つの上記緩衝体に各別に接触する一対の当接部とを有している。さらに、上記厚紙片が、電源コードの仕様に応じてその折曲げ箇所を変更することにより、上記仕切り片部、上記折畳み束収容部及び一対の上記当接部の形状及びサイズを変更可能な機能を備えている。
【００１３】
この構成を備えた梱包構造によれば、上記空間内に収容されている電源コードがパッドの折畳み束収容部に収納されるために、電源コードを箱本体の底蓋の上に置かなくて済むようになる。また、パッドの折畳み束収容部に収納された電源コードと電気機器との接触がパッドの仕切り片部によって阻止されるため、両者が干渉して電気機器が傷付いたり電源コードが傷んだりすることが未然に防止される。
【００１４】
特に、この発明によれば、パッドを形成している横長矩形の厚紙片が、電源コードの仕様に応じてその折曲げ箇所を変更することにより、上記仕切り片部、上記折畳み束収容部及び一対の上記当接部の形状及びサイズを変更可能な機能を備えていることにより、電源コードの仕様が事後的に変更された場合であっても、同一の厚紙片を使用してその使用に応じたパッドを形作ることが可能になるという作用が奏される。
【００１５】
本発明では、上記パッドが２つの上記緩衝体により挟まれてそれらの緩衝体の対向方向で位置決めされていることが望ましい。これによれば、パッドの折畳み束収容部に収納されている電源コードが動かないようにその収納位置で位置決めされる。したがって、電気機器梱包の運搬中に電源コードが動き回ってパッドや梱包箱を傷付けるという事態が起こらない。
【００１６】
本発明では、横長矩形の上記厚紙片の長手方向複数箇所に付与されている折曲げ線の形成箇所で当該厚紙片が折り曲げられていることによって、上記仕切り片部と上記折畳み束収容部と一対の上記当接部とを有する上記パッドが形成されていることが望ましい。この構成であると、折曲げ線の形成箇所を目安にして厚紙片の折曲げ加工を容易に行うことが可能になる。
【００１７】
本発明では、上記パッドに具備された平面視略コ字形の折畳み束収容部が、２つの上記緩衝体に各別に接触する一対の突片部とそれらの突片部の根元部分の相互間に亘る幅広背板部とを有して、一対の上記突片部が一対の上記当接部を形成し、かつ、上記幅広背板部が上記仕切り片部を形成している、という構成を採用することが可能である。この構成であれば、折畳み束収容部の内容積を広く確保することができるため、太くて長い電源コードの折畳み束を電気機器に同梱するのに有利な梱包構造が形成される。
【００１８】
本発明では、上記パッドに具備された平面視略コ字形の折畳み束収容部が、２つの上記緩衝体のうちの一方側の緩衝体に接触する１つの片側突片部と、その片側突片部に対向している他の１つの他側突片部と、それら２つの突片部の根元部分の相互間に亘る幅狭背板部とを有し、その折畳み束収容部に備わっている上記他側突片部の突出端に、上記厚紙片を折り曲げることによって形成された平板部が連設されていると共に、上記片側突片部と上記平板部の先端部とが一対の上記当接部を形成し、かつ、上記幅狭背板部が上記仕切り片部を形成している、という構成を採用することが可能である。この構成であれば、幅狭背板部の横幅を増減変更して折畳み束収容部の内容積を電源コードの折畳み束のサイズに合わせやすいという利点がある。
【発明の効果】
【００１９】
以上のように、本発明によれば、梱包箱とその梱包箱に収容させた電気機器との間に形成される空間を電源コードの収容に利用することが可能であり、しかも、１枚の厚紙片を折り曲げて形作ることのできるパッドを、仕様の異なる電源コードの収容に共通に使用することができるようになる。そのため、電源コードの仕様が事後的に変更されても、梱包箱やパッドに用いられる厚紙片を引続き共通使用することが可能になるという利便性がある。
【図面の簡単な説明】
【００２０】
【図１】本発明の実施形態に係る電気機器梱包構造を示した分解斜視図である。
【図２】図１の梱包構造の横断平面図である。
【図３】パッドを形成するために使用される厚紙片を展開した正面図である。
【図４】図３の厚紙片の平面図である。
【図５】図２のＶ部の拡大図である。
【図６】形状変更されたパッドの使用例を示した平面図である。
【図７】パッドの前後方向位置決め機構の要部を示した概略斜視図である。
【図８】図７の位置決め機構の作用説明のための一部破断平面図である。
【図９】（Ａ）〜（Ｃ）は使用の異なる３種類の電源コードを例示した概略斜視図である。
【図１０】従来の電気機器梱包構造の分解斜視図である。
【発明を実施するための形態】
【００２１】
図１は本発明の実施形態に係る電気機器梱包構造を示した分解斜視図、図２は同梱包構造の横断平面図である。また、図３はパッド２０を形成するために使用される厚紙片８５を展開した正面図、図４は同厚紙片８５の平面図である。図５は図２のＶ部の拡大図、図６は形状変更されたパッド２０の使用例を示した平面図、図７はパッド２０の前後方向位置決め機構９０の要部を示した概略斜視図、図８は図７の位置決め機構９０の作用説明のための一部破断平面図である。
【００２２】
図１に分解斜視図で示した梱包構造において、図１０を参照して説明した従来例の梱包構造と異なる点は、電源コード７２が、袋７１に入っている取扱説明書７３とは梱包箱１０の内部の別の箇所に収容される点、梱包箱１０には電源コード７２を動かないように収納することのできるパッド２０が追加して配備される点、である。言い換えると、この実施形態では、従来例では袋７１に取扱説明書７３と共に入っていた電源コード７２が、パッド２０に動かないように収納された状態で梱包箱１０に収容されている。以下、さらに詳細に説明する。
【００２３】
梱包箱１０は、切り目や折り目を形成した１枚の厚紙に曲げ加工を施すことによって製作されていて、横長四角筒形に形成されている胴体部１２に、底蓋１３と天蓋１４とが連設されていて、天蓋１４は、胴体部１２の４つの上辺のそれぞれに連設されている４枚のフラップ１４ａ，１４ｂ，１４ｃ，１４ｄを折り畳むことによって形成される。
【００２４】
梱包箱１０には、電気機器５０、４つのブロック形の緩衝体６１〜６４、取扱説明書などの付属品７０などが収容される。電気機器５０は、たとえば偏平な矩形箱形の形状を有するＤＶＤプレーヤであり、保護袋５１に入った状態でその４つのコーナ部に樹脂発泡体でなる緩衝体６１〜６４が各別に嵌合されている。付属品７０には取扱説明書７３、バッテリ７４などの各種の必要な小物部品が含まれている。
【００２５】
図１又は図２によって判るように、梱包箱１０で電気機器５０などを梱包するときには、袋７１に入っている付属品７０が梱包箱１０の底蓋１３の中央部に置かれ、その上から、４つのコーナ部に緩衝体６１〜６４が嵌め込まれた電気機器５０が配備される。また、４つの緩衝体６１〜６４は梱包箱１０の胴体部１２の４つのコーナ部に嵌め込まれる。このように梱包状態では、４つの緩衝体６１〜６４が梱包箱１０の胴体部１２により動かないように挟まれて電気機器５０が梱包箱１０の内部で位置決めされている。言い換えると、梱包箱１０の胴体部１２と電気機器５０とによって、胴体部１２の４つのコーナ部に配備されている４つの緩衝体６１〜６４が挟まれている。また、４つのフラップ１４ａ，１４ｂ，１４ｃ，１４ｄが折り畳まれて天蓋が形成され、その天蓋によって胴体部１２の上側の開口が塞がれる。
【００２６】
上記のように電気機器５０や付属品７０を４つの緩衝体６１〜６４と共に梱包箱１０に収容すると、図２に示されているように、梱包箱１０の胴体部１２と電気機器５０との間に形成される隙間が、４箇所の緩衝体６１〜６４によって４つの空間Ｓ１，Ｓ２，Ｓ３，Ｓ４に仕切られる。そして、この実施形態では、梱包の前後方向Ａの後側Ａ１に位置している空間Ｓ４内、具体的には、電気機器５０と、横方向Ｂで相対向する２つの緩衝体６１，６４と、電気機器５０に対向している胴体部１２の壁板（後板）１２ａと、によって囲まれた空間Ｓ４が、上記した電源コード７２の折畳み束７４とパッド２０とを収容することに利用されている。
【００２７】
図１、図２又は図５に示したように、空間Ｓ４に収容されているパッド２０は、横方向Ｂで相対向している２つの緩衝体６１，６４に各別に接触している一対の突片部３１，３２と、これらの突片部３１，３２の根元部分の相互間に亘る幅広背板部３３とを有している。そして、幅広背板部３３の両端の一対の上記突片部３１，３２が、２つの緩衝体６１，６４に各別に接触して当該パッド８０を横方向Ｂで動かないように位置決めする作用を発揮する一対の当接部２１，２１の役割を果たしている。また、幅広背板部３３が、電気機器５０と空間Ｓ４に収容されている電源コード７２の折畳み束７４との間に配備されて、電源コード７２が電気機器５０に接触することを防ぐ仕切り片部２２の役割を果たしている。さらに、一対の上記突片部３１，３２と上記幅広背板部３３とが、空間Ｓ４内での電源コード７２の折畳み束７４の納まり位置を上記壁板１２ａと共働して区画形成する平面視略コ字形の折畳み束収容部２３としての役割を果たしている。
【００２８】
以上説明した実施形態の梱包構造によると、パッド２０が一対の当接部２１，２１の作用によって空間Ｓ４内で横方向Ｂに動かないように位置決めされているだけでなく、パッド２０の仕切り片部２２の作用によって電源コード７２と電気機器５０との干渉が防止され、さらに、パッド２０の折畳み束収容部２３の作用によって電源コード７２の折畳み束７４の納まり位置が定まる。そのため、当該梱包を運搬するときなどに、電源コード７２の折畳み束７４が空間Ｓ４内で動き回って電気機器５０を傷付けたり、電源コード７２自体が傷付いたりすることが未然に回避される。
【００２９】
また、幅広背板部３３の両端に一対の突片部３１，３２を設けることによってパッド２０に平面視凹形の折畳み束収容部２３を形成していることにより、その折畳み束収容部２３の内部空間、ひいては折畳み束収容部２３と上記壁板１２ａとによって囲まれた内部空間の広さが広くなっている。そのため、折畳み束収容部２３の広い内部空間を利用して、図９（Ａ）（Ｂ）に示したような嵩高い太くて長い電源コード７２を無理なく収容することが可能になる。その結果、そのような嵩高い電源コード７２の折畳み束７４を、取扱説明書７３と共に袋７１に入れて梱包箱１０の底蓋１３と電気機器５０との間に挟み込み必要がなくなる。言い換えると、梱包箱１０の高さ寸法を変更することなく、電源コード７２の嵩高い折畳み束７４を無理なく収容したい、という要求に対処することができる。なお、電源コード７２は、倒伏姿勢で折畳み束収容部２３に収納させても、斜め起立姿勢又は垂直な起立姿勢で折畳み束収容部２３に収納させてもよい。
【００３０】
図６は他の形状のパッド２０の使用例を示した平面図である。この使用例では、上記空間Ｓ４に、図５などに示した形状のパッド２０や電源コード７２の折畳み束７４に置き換えて、平面視杓形のパッド２０と図９（Ｃ）に示したような細くて短い電源コード７２の折畳み束７４を収容させている。図６に示したパッド２０は、平面視略コ字形の折畳み束収容部２３が、２つの緩衝体６１，６４のうちの一方側の緩衝体６４に接触する片側の突片部４１と、その突片部４１に横方向Ｂ（図２参照）で対向している他側の突片部４２と、それら２つの突片部４１，４２の根元部分の相互間に亘る幅狭背板部４３とを有している。また、その折畳み束収容部２３に備わっている他側の突片部４２の突出端に、他方側の緩衝体６１に向けて延び出た平板部４４が連設されている。そして、片側の突片部４１と平板部４４の先端部とが、２つの緩衝体６１，６４に各別に接触して当該パッド２０を横方向Ｂで動かないように位置決めする作用を発揮する一対の当接部２１，２１の役割を果たしている。また、幅狭背板部４３が、電気機器５０と空間Ｓ４に収容されている電源コード７２の折畳み束７４との間に配備されて電源コード７２が電気機器５０に接触することを防ぐ仕切り片部２２の役割を果たしている。さらに、一対の上記突片部４１，４２と上記幅広背板部４３とが、空間Ｓ４内での電源コード７２の折畳み束７４の納まり位置を上記壁板１２ａと共働して区画形成する平面視略コ字形の折畳み束収容部２３としての役割を果たしている。
【００３１】
図６に示した形状のパッド２０を採用した梱包構造によっても、パッド２０が一対の上記当接部２１，２１の作用によって空間Ｓ４内で横方向に動かないように位置決めされているだけでなく、パッド２０の仕切り片部２２の作用によって、斜め起立姿勢で収納されている電源コード７２と電気機器５０との干渉が防止され、さらに、パッド２０の折畳み束収容部２３の作用によって電源コード７２の折畳み束７４の納まり位置が定まる。そのため、当該梱包を運搬するときなどに、電源コード７２の折畳み束７４が空間Ｓ４内で動き回って電気機器５０を傷付けたり、電源コード７２自体が傷付いたりすることが未然に回避される。なお、電源コード７２は、倒伏姿勢で折畳み束収容部２３に収納させても、斜め起立姿勢又は垂直な起立姿勢で折畳み束収容部２３に収納させてもよい。
【００３２】
また、図６の形状のパッド２０は、折畳み束収容部２３の内部空間、ひいては折畳み束収容部２３と上記壁板１２ａとによって囲まれた内部空間の広さが、図５に示したものに比べて狭くなっている。そのため、折畳み束収容部２３の内部空間に図９（Ｃ）に示したような細くて短い電源コード７２の折畳み束７４を収容させるだけで、その折畳み束７４が動かないように収納される。その結果、そのような細くて短い電源コード７２の折畳み束７４を、取扱説明書７３と共に袋７１に入れて梱包箱１０の底蓋１３と電気機器５０との間に挟み込み必要がなくなる。言い換えると、この場合も、梱包箱１０の高さ寸法を変更することなく、嵩高い電源コード７２の折畳み束７４を無理なく収容したい、という要求に対処することができる。
【００３３】
さらに、図６の形状のパッド２０では、幅狭背板部４３の横幅を増減変更して折畳み束収容部２３の内容積を電源コード７２の折畳み束７４のサイズに合わせやすいという利点もある。
【００３４】
図５に示した平面視凹形のパッド２０や図６に示した平面視杓形のパッド２０は、横長矩形の厚紙片の長手方向複数箇所を折曲げることによって形成されている。図３及び図４に厚紙片８０を示している。
【００３５】
この厚紙片８０は横長矩形に形作られていて、その厚紙片８０には段ボールや厚手の紙を採用することが可能である。この厚紙片８０によると、当該厚紙片８０を長手方向複数箇所で折り曲げることによって、上記したパッド２０の仕切り片部２２、折畳み束収容部２３及び一対の当接部２１を形成することができる。また、その折曲げ箇所を変更することにより、上記の仕切り片部２２、折畳み束収容部２３及び一対の当接部２１の形状及びサイズを変更することができる。
【００３６】
図３及び図４に示したように、厚紙片８０の長手方向４箇所にその厚紙片８０を幅方向に横切るまっすぐな折曲げ線Ｌ１，Ｌ２，Ｌ３，Ｌ４が表示されている。ここで、折曲げ線Ｌ１，Ｌ２，Ｌ３，Ｌ４とは、厚紙片８０の折曲げ箇所を表示する線のことであり、その折曲げ線Ｌ１，Ｌ２，Ｌ３，Ｌ４の表示方法には、印刷や描画による線のほか、厚紙片８０を折り曲げやすくする作用を発揮する直線状の脆弱部を形成する方法がある。そして、折曲げ線Ｌ１，Ｌ２，Ｌ３，Ｌ４を直線状の脆弱部によって形成する場合には、図例のように厚紙片８０の表面又は裏面の両方を圧縮して直線状の肉薄部を形成することが有効であるほか、厚紙片８０の表面又は裏面の片方を圧縮して直線状の肉薄部を形成したり、直線状の切り目やミシン目を形成したりすることも有効である。
【００３７】
図例の厚紙片８０を折り曲げて図５などに示した平面視凹形のパッド２０を形作るときには、折曲げ線Ｌ１と折曲げ線Ｌ４とを選択してその両方を直角又は略直角に谷折りする。この場合、折曲げ線Ｌ２，Ｌ３は折り曲げずに伸展したままにする。また、図例の厚紙片８０を折り曲げて図６に示した平面視杓形のパッド２０を形作るときには、折曲げ線Ｌ１〜Ｌ３を選択し、そのうちの折曲げ線Ｌ１と折曲げ線Ｌ２を直角又は略直角に谷折りし、かつ、折曲げ線Ｌ３を直角又は略直角に山折りする。この場合、折曲げ線Ｌ４は折り曲げずに伸展させたままにする。
【００３８】
図５や図６に示した事例では、パッド２０の一対の当接部２１，２１が相対向している緩衝体６１，６４に接触して横方向Ｂ（図２）で動かないように位置決めされている。また、一対の当接部２１，２１が緩衝体６１，６４に接触していることにより、前後方向Ａ（図２）でも一応は動かないうに位置決めされている。しかし、落下衝撃などの大きな力が加わったときには、パッド２０が前後方向に位置ずれすることも起こり得る。そのような前後方向の位置ずれを防ぐための前後方向位置決め機構９０を図７に示してある。同図のパッド２０は、図６に示した平面視杓形のパッド２０であり、その平板部４４の先端に突出片９１が設けられている。これに対し、一方側の緩衝体６１にスリット状の孔部９２が形成されている。そして、図８のように、突出片９１をスリット状の孔部９２に差し込むことによって上記の前後方向位置決め機構９０が構成され、この前後方向位置決め機構９０が、パッド２０の前後方向の位置ずれを防ぐことに役立つ。図７及び図８では、図６に示した平面視杓形のパッド２０の平板部４４の先端に突出片９１を設けた事例を説明したけれども、突出片９１は、図５などに示した平面視凹形のパッド２０の突片部３１，３２の先端に曲成されていてもよい。
【００３９】
以上説明した実施形態では、緩衝体６１〜６４によって梱包箱１０の内部に仕切られた４つの空間Ｓ１，Ｓ２，Ｓ３，Ｓ４のうちの後側の空間Ｓ４に、電源コード７２の折畳み束７４とパッド２０とを収容する事例を説明したけれども、この点は、他の空間Ｓ１，Ｓ２，Ｓ３のうちの１つ又は複数を利用して電源コード７２の折畳み束７４とパッド２０とを収容することも可能である。
【符号の説明】
【００４０】
１０  梱包箱
１２  胴体部
１２ａ  胴体部の壁板
１３  底蓋
１４  天蓋
２０  パッド
２１  当接部
２２  仕切り片部
２３  折畳み束収容部
３２  突片部
３３  幅広背板部
４１  突片部（片側突片部）
４２  突片部（他側突片部）
４３  幅狭背板部
４４  平板部
５０  電気機器
６１〜６４  緩衝体
７２  電源コード
７４  電源コードの折畳み束
８０  厚紙片
Ｓ４  空間
Ｌ１〜Ｌ４  折曲げ線
【図１】
2012081968.tif 000003
【図２】
2012081968.tif 000004
【図３】
2012081968.tif 000005
【図４】
2012081968.tif 000006
【図５】
2012081968.tif 000007
【図６】
2012081968.tif 000008
【図７】
2012081968.tif 000009
【図８】
2012081968.tif 000010
【図９】
2012081968.tif 000011
【図１０】
2012081968.tif 000012